(57)【要約】本発明は、非経口使用のための圧縮固体組成物を得るための新規な結合剤および／または崩壊剤に関し、前記結合剤および／または崩壊剤は、発酵糖蜜であり、前記圧縮固体組成物を製造するための方法、ならびにまた、少なくとも発酵糖蜜を含むことを特徴とする結合および／または崩壊組成物に関する。本発明による発酵糖蜜は、有利には、圧縮固体組成物において従来使用されている合成結合剤を置換することを可能にし、一方同時に、液体、特に水と接触して崩壊剤として作用することも可能にする。したがって、本発明は、これまで農業および畜産分野でのみ使用されてきた製品の新たな利用経路を提案する。【選択図】なし【特許請求の範囲】
【請求項１】
結合剤および／または崩壊剤として発酵糖蜜を含むことを特徴とする、非経口使用のための圧縮固体組成物。
【請求項２】
発酵糖蜜が、ビート糖蜜、サトウキビ糖蜜またはビート糖蜜とサトウキビ糖蜜との混合物の発酵によって得られることを特徴とする、請求項１に記載の非経口使用のための圧縮固体組成物。
【請求項３】
前記発酵糖蜜の固形分が５０％〜８０％であることを特徴とする、請求項１または２に記載の非経口使用のための圧縮固体組成物。
【請求項４】
前記発酵糖蜜が、乾燥抽出物の総重量に対して５重量％未満、および好ましくは１重量％未満の糖を含むことを特徴とする、請求項１〜３のいずれか一項に記載の非経口使用のための圧縮固体組成物。
【請求項５】
前記発酵糖蜜は、カルボキシメチルセルロースが添加されていることを特徴とする、請求項１〜４のいずれか一項に記載の非経口使用のための圧縮固体組成物。
【請求項６】
カルボキシメチルセルロースの量（乾燥／乾燥）が、０．１％〜２％、優先的には０．１％〜１％、より好ましくは尚０．１％〜０．５％であることを特徴とする、請求項５に記載の非経口使用のための圧縮固体組成物。
【請求項７】
前記発酵糖蜜の粘度が５００〜５０００ｍＰａ．ｓであることを特徴とする、請求項１〜６のいずれか一項に記載の非経口使用のための圧縮固体組成物。
【請求項８】
活性物質、充填剤、および任意に発泡剤、洗剤、金属イオン封鎖剤、ペレット化添加剤、増白剤、ポリマー、界面活性剤、流動剤、安定剤、消泡剤、染料、および潤滑剤から選択される少なくとも１つの添加剤を含むことを特徴とする、請求項１〜７のいずれか一項に記載の非経口使用のための圧縮固体組成物。
【請求項９】
単層または多層錠剤、ケーク、圧縮錠剤、顆粒、ペレットまたは薬用キャンディーの形態を有することを特徴とする、請求項１〜８のいずれか一項に記載の非経口使用のための圧縮固体組成物。
【請求項１０】
ポリエチレングリコールおよび／または微結晶セルロースおよび／またはポリビニルピロリドンおよび／またはデンプンおよび／またはヒドロキシエチルセルロースおよび／またはゼラチンを含有しないことを特徴とする、請求項１〜９のいずれか一項に記載の非経口使用のための圧縮固体組成物。
【請求項１１】
請求項１〜１０のいずれか一項に記載の非経口使用のための圧縮固体組成物の、食器洗浄機内での洗浄のための使用。
【請求項１２】
非経口使用のための圧縮固体組成物の製造のための結合剤および／または崩壊剤としての、発酵糖蜜の使用。
【請求項１３】
前記発酵糖蜜が、非経口使用のための圧縮固体組成物中に、組成物の総重量に対して０．１重量％〜１５重量％の量で存在することを特徴とする、請求項１２に記載の使用。
【請求項１４】
少なくとも発酵糖蜜を結合剤として含むことを特徴とする、結合および／または崩壊組成物。
【請求項１５】
非経口使用のための圧縮固体組成物の製造方法であって、以下のステップ：
−  活性物質、充填剤、および任意に発泡剤、洗剤、金属イオン封鎖剤、ペレット化添加剤、増白剤、ポリマー、界面活性剤、流動剤、安定剤、消泡剤、染料または潤滑剤から選択される少なくとも１つの添加剤を提供するステップ、
−  混合物を得るために、前のステップで提供された前記化合物に発酵糖蜜を包含させるステップ、
−  前記圧縮固体組成物を得るために、前記混合物を圧縮するステップ
を含む方法。
【請求項１６】
前記包含のステップが噴霧によって実施されることを特徴とする、請求項１５に記載の方法。
【請求項１７】
前記圧縮するステップが、輪転機上で実施されることを特徴とする、請求項１５または１６に記載の方法。
【発明の詳細な説明】
【技術分野】
【０００１】
本発明は、非経口使用のための圧縮固体組成物を得るための新規な結合剤および／または崩壊剤、ならびにまた前記圧縮固体組成物を調製するための方法に関する。
【背景技術】
【０００２】
圧縮固体組成物は、特定の特性を得るために、および最適な取り扱いを確実にするために、一般に目的とされた使用によって決定される多くの形態であり得る。実際、用途によっては、圧縮固体組成物が、使用前に良好な完全性を有し、一方また使用中、特に液体との接触時に急速に崩壊する能力を有することが重要である。これらの特性は、一般に、結合剤および／または崩壊剤によって提供される。
【０００３】
結合剤の使用は、凝集体とも呼ばれる圧縮固体組成物に、その取り扱いまたはその使用中の微粒子形成の課題を回避するのに十分なレベルの機械的強度を与えることを可能にする。結合剤を使用する利点は、一般に、圧縮または凝集の全ての既知の技術、例えば、圧力圧縮、ペレット化、造粒、結節化、押出または他に噴霧乾燥について観察される。崩壊剤については、それらを含有する圧縮固体組成物が、液体との接触、および特に水との接触によって崩壊することが可能になる。
【０００４】
最後に、いくつかの剤は、結合剤および崩壊剤と呼ばれるが、それは、それらが、乾燥媒体中で十分なレベルの機械的強度を得ることを可能にし、一方、液体との接触の際に崩壊する可能性も提供するためである。
【０００５】
一般的に言えば、多数の結合剤が当業者に知られている。ポリビニルアルコールおよびその誘導体、セルロースおよびその誘導体、リグノスルホネート、デンプンおよびその誘導体、アルカリ金属ケイ酸塩、セメント、粘土および最後に糖蜜を、後者を石灰と組み合わせることによって、例として挙げることができる。
【０００６】
ポリビニルアルコールおよびその誘導体、セルロースおよびその誘導体、デンプンならびに物理的および／または化学的に修飾されたデンプンは、良好な結合特性を有し、凝集技術の要件を満たすが、必ずしも経済的要件を満たさない凝集体を得ることを可能にする。これは、必要な使用用量は、一般に、経済的に満足な条件下で凝集体または圧縮固体組成物を得ることを可能にしないからである。
【０００７】
リグノスルホネートは、使用される凝集手段に関して、それらのｐＨおよびそれらの組成のために攻撃性であるという欠点を有する。さらに、燃焼中、または圧縮プロセスの過程で必要とされる加熱操作中に、リグノスルホネートは、硫酸に富む有害な蒸気の放出をもたらし得る。この結果は、リグノスルホネートが大気汚染および腐食の取るに足りないものではない原因を表すことである。したがって、環境負荷を低減したより環境にやさしい製品を開発する上で、リグノスルホネートは避けるべきである。
【０００８】
粘土は、結合特性を有する低コストの製品であるが、その適用分野は限られている。さらに、それらを他の結合剤と組み合わせることが非常にしばしば必要である。例として、デンプン性生成物およびその誘導体を挙げることができる。
【０００９】
アルカリ金属ケイ酸塩については、微妙な取り扱いが必要であり、その長期間の使用は、それらが使用される施設の頻繁な洗浄を伴う。
【００１０】
組成物に使用される結合剤のタイプは、最終用途に応じて変化する。例えば、洗剤使用のための錠剤および固体組成物の分野において、使用される結合剤は、一般に合成結合剤である。
【００１１】
例えば、文献特許文献１には、特に粘土および界面活性剤を含む、錠剤の形態を有する洗濯洗剤組成物が記載されている。錠剤は、ポリエチレングリコール６０００（ＰＥＧ  ６０００）よりも粘土に対する分散効果が少ない結合剤によって一緒に保持された粒子の圧縮塊の形態である。具体的には、結合剤は、１５００未満の分子量を有するポリエチレングリコール、アミンオキシドおよびポリビニルピロリドンから選択される化学結合剤である。
【００１２】
文献特許文献２には、破断強度が改良された錠剤およびまたその製造方法が記載されている。この方法は、１０〜１００ＧＰａの剛性率値Ｇ、少なくとも７度の位相角値δ、および大気圧で少なくとも４５℃の沸点を有する結合剤を提供するステップを含む。次いで、この方法は、結合剤をその沸点を超えて加熱するステップ、その後、前記加熱された結合剤を洗剤化合物のプレミックスを含有する粉末に適用して洗剤組成物を形成するステップを含む。プロセスの最終ステップは、洗剤組成物を錠剤に変換することからなる。使用される結合剤は、アニオン性界面活性剤、非アニオン性界面活性剤、ポリマー材料、ポリオール、糖酸、糖アルコール、糖エステル、脂肪酸、脂肪酸エステル、脂肪酸アミドおよびそれらの混合物からなる群から選択される。
【００１３】
それらが合成起源であるという事実とは別に、利用可能な結合剤の別の欠点は、それらの主な利点から生じる。これは、これらの薬剤が、水のような液体との接触によってそれらを崩壊させることが一般に不可能であるような凝集を提供することによって凝集体を得ることを可能にするからである。
【先行技術文献】
【特許文献】
【００１４】
【特許文献１】欧州特許第１  ０４８  ７１６号
【特許文献２】国際公開第２００５／０６８６０３号
【発明の概要】
【発明が解決しようとする課題】
【００１５】
したがって、非経口使用のための圧縮固体組成物の製造のための新規な結合剤が必要とされており、前記結合剤は、従来使用されている合成結合剤に取って代わることができ、また、液体、特に水との接触の際に崩壊剤として作用することができる。
【課題を解決するための手段】
【００１６】
したがって、この目的は驚くべきことに、かつすべての期待に反して、発酵糖蜜によって満たすことができ、一方後者はこれまで発酵からの残留物であると考えられており、農業および畜産の分野で、拡散用の肥料として、または動物の飼料として利用されるという唯一の利点があることを見出したのは、出願人の信用によるものである。
【００１７】
本発明の第１の主題は、発酵糖蜜を結合剤および／または崩壊剤として含む、非経口使用のための圧縮固体組成物に関する。
【００１８】
一般的に言えば、糖蜜は、当業者に公知の物質である。それは、製糖におけるビートおよびサトウキビからの砂糖または精製における褐糖の生産の併産物である。サトウキビからでもビートからでも砂糖を生産するプロセスは、結晶化ステップの後に、一方では砂糖を、もう一方では糖蜜を得ることにつながる。一般的に言えば、製糖プロセスは、ビート１トン当たり約３５〜４０キロの糖蜜、およびサトウキビ１トン当たり３０〜３５キロの糖蜜を生成することが広く認識されている。フランス国内レベルでさえ、年間生産量は数万トンに達する。
【００１９】
組成に関して、糖蜜の固形分はあまり変化せず、一般に７０％〜７６％である。糖蜜は、粗セルロースおよび脂肪物質の含有量が非常に低いか、またはさらにまったく含有しない。
【００２０】
糖の生産の併産物として、糖蜜は多量の糖を含有する。総糖含有量は糖蜜の起源に関係なく実質的に同じであり、一般に乾燥重量（ＤＷ）の５８％〜７０％であるが、ビート糖蜜に適用される工業プロセスに依存していくらかの差異がある。
【００２１】
他方、糖蜜、ビートまたはサトウキビの起源に依存して、糖の含有量は近い一方、これらの総糖の組成は全く異なる。したがって、ビート糖蜜では、実質的に全ての糖がスクロースの形態であり、一方サトウキビ糖蜜では、スクロースのみが全糖の約２／３、すなわち粗生成物の３０％〜４０％を表す。
【００２２】
糖蜜は粘性の高い物質であり、その輸送および貯蔵の欠点を表す。しかしながら、この高粘度は動物飼料の利点を構成し、それらは一般に、反すう動物およびウマに、わらもしくは他のセルロースベースの飼料、例えばふすまとの混合物において、または完全飼料中の結合剤として、またはさらに食欲をそそらない飼料の消費を促進するために使用される。実際、糖、アミノ酸および塩の存在によって、糖蜜は飼料を構成し、その風味および臭気は、動物の食欲を刺激し、消化を促進する。
【００２３】
動物飼料の代替として、糖蜜はまた、発酵プロセスを介して「価値がある」製品と呼ばれる製品を製造するために、製造業者によって使用される。実際、いくつかの微生物の発酵機構を使用して、糖蜜は、パン酵母、エチルアルコール、クエン酸およびグルタミン酸、リジンまたは他に抗生物質を得ることを可能にし、また発酵糖蜜に対応する液体発酵残留物を生成する。
【００２４】
発酵糖蜜はこれまで発酵の残留物と考えられ、その唯一の利益は、農業および畜産の分野において、拡散用肥料として、または動物飼料において利用されることであった。実際、発酵糖蜜の化学組成は、発酵による化合物の枯渇にもかかわらず、それによって提供されるエネルギーおよびその窒素値の両方に関して、反すう動物のための飼料において依然として魅力的である。
【００２５】
従って、結合剤および／または崩壊剤として発酵糖蜜を含む非経口使用のための圧縮固体組成物を提案することによって、本出願人の信用は、発酵糖蜜を使用するために従来実用化されたものに逆らうことによって、発酵糖蜜を使用するための新規な方法を開拓したことである。
【００２６】
本発明の目的のために、圧縮固体組成物は、例えば、加圧圧縮、ペレット化、造粒、小粒化、押出または他に噴霧乾燥などの、当業者に公知の圧縮のプロセスによって得られ得る任意の組成物を意味することが意図される。したがって、本発明による圧縮固体組成物は、凝集体であると考えることもできる。
【００２７】
本発明による圧縮固体組成物は、多数の圧縮形態であってもよく、前記形態は、所望の用途に応じて当業者によって慣用的に適合される。したがって、圧縮固体組成物は、単層または多層錠剤、ケーク、圧縮錠剤、顆粒、ペレットまたは他に薬用キャンディーの形態であってもよい。好ましくは、圧縮固体組成物は、単層または多層錠剤の形態である。
【００２８】
本発明の目的のために、非経口使用は、圧縮固体組成物が動物またはヒトによって摂取されることが意図されず、したがって特に動物またはヒトのための食物を提供することができないことを意味することが意図される。
【００２９】
明確化の目的のために、用語「圧縮された（ｃｏｍｐｒｅｓｓｅｄ）」、「圧縮された（ｃｏｍｐａｃｔｅｄ）」または他に「凝集した」は、実際に、本発明の目的のための同義語であると考えられ、区別なく使用され得る。
【００３０】
発酵糖蜜は、細菌、酵母、または真菌によるその発酵後に得られる糖蜜の併産物であり、前記発酵は、パン酵母、エチルアルコール、または他にクエン酸およびグルタミン酸などの「価値がある」と呼ばれる産物を得ることを可能にする。好ましくは、発酵糖蜜は、酵母による糖蜜の発酵によって得られる。
【００３１】
本発明によれば、発酵糖蜜は、ビート糖蜜、サトウキビ糖蜜、またはビート糖蜜およびサトウキビ糖蜜の混合物から等しく得ることができる。例えば、混合物は、６０％までの発酵ビート糖蜜、７０％までの発酵ビート糖蜜、８０％までの発酵ビート糖蜜、９０％までの発酵ビート糖蜜、またはさらに９５％までの発酵ビート糖蜜を含有し得る。有利には、発酵糖蜜が発酵ビートおよびサトウキビ糖蜜の混合物である場合、前記混合物は、９０％の発酵ビート糖蜜を含有する。
【００３２】
最初は、発酵糖蜜は９０％を超える水を含有するが、これは、水の量を減少させ、より高い固形分を得るために、有利に濃縮される。
【００３３】
従って、本発明による発酵糖蜜またはビート糖蜜およびサトウキビ糖蜜の混合物の固形分は、５０％〜８０％であり得る。好ましくは、発酵糖蜜の固形分は、５５％〜７５％、最も特定的に５５％〜６５％、例えば、約６０％である。
【００３４】
従来、それらは肥料または動物飼料として意図されているか、または使用されていたので、発酵糖蜜はまた、その中の窒素ベースの材料の分布によって、およびそのアミノグラム（ａｍｉｎｏｇｒａｍ）によって定義される。本発明による発酵糖蜜は、したがって、以下のような窒素ベースの材料の分布を有し得る：
−  全アミノ酸からの窒素：全窒素の２５％〜５０％
−  ベタインからの窒素：全窒素の０％〜４０％
−  アンモニア性窒素：全窒素の２％〜３％。
【００３５】
本発明による発酵糖蜜のタンパク質のアミノグラムに関して、アミノ酸の平均含有量は、以下に提示されるものであり得、値の範囲は、固形分のｇ／ｋｇで示される：
−  アスパラギン酸：６〜８
−  トレオニン：０．５〜３
−  セリンおよびグルタミン酸：１１５〜１３０
−  プロリン：３〜４
−  グリシン：４〜５
−  アラニン：２．５〜３．５
−  バリン：２．５〜３．５
−  メチオニンおよびシステイン：０．５〜３
−  イソロイシン：１．５〜２．５
−  チロシン：２〜３．５
−  ロイシン：３〜４．５
−  フェニルアラニン：１〜２
−  リジン：０．５〜２．５
−  ヒスチジン：０．５〜２
−  アルギニン：０．２〜１
【００３６】
発酵から生じる併産物として、発酵糖蜜は、低い糖含有量を有する。「低い糖含有量」は、乾燥抽出物の総重量に対して５重量％未満、４重量％未満、３重量％未満、２重量％未満、最も特定的に１重量％未満の糖を含む発酵糖蜜を意味することが意図される。優先的には、本発明による発酵糖蜜は、糖を含有しない。
【００３７】
粗発酵糖蜜とも呼ばれる本発明による発酵糖蜜は、１つ以上の化学的または物理化学的処理を受け得る。例えば、発酵糖蜜は、カリ除去または脱塩を受け得る。このような処理は、発酵糖蜜の窒素ベースの材料に関して組成を改変し得る。カリ除去処理は、例えば、Ｈ２ＳＯ４の溶液による粗発酵糖蜜の酸性化、続いてアンモニア水での中和からなる。
【００３８】
発酵糖蜜に適用され得る処理は、鉱物含有量を定性的および定量的に変化させる。したがって、粗発酵糖蜜は、粗生成物に対して１４重量％〜２２重量％の粗灰分含有量および粗生成物に対して５重量％〜１８重量％のカリウム含有量を有し得る。一方、カリを除去した、または脱塩した発酵糖蜜の場合、粗灰分は、粗生成物に対して５重量％〜１４重量％の範囲であり、カリウム含有量は、一般に、粗生成物に対して４重量％未満である。
【００３９】
高い灰分含有量のために、粗発酵糖蜜は、１．１０〜１．５０の範囲であり得る密度を有する。好ましくは、発酵糖蜜の密度は１．２０〜１．４０であり、最も特定的に１．２５〜１．３５である。
【００４０】
本発明による発酵糖蜜は、５００ｍＰａ．ｓ〜５０００ｍＰａ．ｓ、好ましくは１０００ｍＰａ．ｓ〜４０００ｍＰａ．ｓの粘度、および５〜６のわずかに酸性のｐＨを有する。
【００４１】
したがって、本発明による圧縮固体組成物は、結合剤および／または崩壊剤としての粗製または脱塩発酵糖蜜を含む。
【００４２】
前記発酵糖蜜は、圧縮固体組成物内に有効な割合で存在する。有効な割合とは、所望の効果を得るのに十分なもの、すなわち、特に、実質的な損傷なしに輸送、取扱いおよび／または貯蔵され得、水などの液体と接触すると崩壊し得る圧縮固体組成物を得ることを意味することが意図される。
【００４３】
有利には、本発明による圧縮固体組成物内で使用される粗製または脱塩発酵糖蜜の量は、圧縮固体組成物の総重量に対して０．１重量％〜１５重量％、優先的には０．５重量％〜５重量％、さらに優先的には０．５重量％〜１．５重量％であり得る。
【００４４】
このようにして発酵糖蜜に明らかにされた結合特性は、その取り扱い中の微粒子の形成の課題を回避するのに十分な機械的強度を有する圧縮固体組成物を得ることを可能にする。有利には、発酵糖蜜はまた、崩壊剤として作用し、圧縮固体組成物が、液体と接触すると、特に水と接触すると崩壊することを可能にする。
【００４５】
本発明による圧縮固体組成物によって、本発明者らは、したがって、発酵糖蜜を利用するための新規な経路、ならびに固体組成物を得るために従来使用されていない合成結合剤または結合剤を使用するための代替物を確認した。例として、特に、ポリエチレングリコール、ポリビニルピロリドン、エトキシル化脂肪アルコール、デンプン、ヒドロキシエチルセルロース、ゼラチンまたは他に微結晶セルロースが挙げられる。
【００４６】
したがって、本発明による発酵糖蜜を含む圧縮固体組成物は、ポリエチレングリコールおよび／またはポリビニルピロリドンおよび／またはエトキシル化脂肪アルコールおよび／またはデンプンおよび／またはヒドロキシエチルセルロースおよび／またはゼラチンおよび／または微結晶セルロースを含まないことがある。
【００４７】
特定の実施形態によれば、発酵糖蜜は、特に特定の物理的特性を示すために、それに添加される物質を有してもよい。したがって、糖蜜は、セルロースベースの誘導体、例えばカルボキシメチルセルロース、ヘミセルロース、リグニン、エチルセルロース、メチルセルロース、ヒドロキシプロピルセルロース、ヒドロキシプロピルメチルセルロース、デンプン生産からの誘導体、例えば小麦、トウモロコシ、キャッサバ、タピオカ、ジャガイモ、または米デンプン、デキストリンおよびその他の変性デンプン、デキストラン、糖誘導体、例えばグルコース、フルクトース、ラクトース、スクロース、ソルビトール、グリセロール、ジウタンの天然ゴム、ジェラン、キサンタン、カラギーナンタイプ、ペクチン、アルギン酸塩、キトサン、アラビアゴム、トラガカントゴム、キャロブガム、アカシアゴム、寒天、グアーガム、生産誘導体、例えばビート果肉、チコリ果肉、乾燥または非乾燥リンゴ搾り粕、サトウキビバガス、柑橘類果肉、果汁廃棄物、ガム製造からの廃棄物、デンプン製造からの廃棄物、鉱物誘導体、スメクタイト、ベントナイトおよび他のシリカ由来の粘土、石灰、マグネシウム、および同じ族の他のもの、ならびにまたこれらの化合物のいくつかの混合物を含む群から選択される、それに添加される化合物を有してもよい。好ましくは、発酵糖蜜は、それに添加されたカルボキシメチルセルロースを有する。発酵糖蜜に添加される化合物の量は、０．１％〜２％、優先的には０．１％〜１％、より好ましくは尚０．１％〜０．５％であり得、百分率は、それに添加される物質を含む発酵糖蜜の全乾燥重量に対する乾燥重量として表される。
【００４８】
圧縮固体組成物はまた、１つ以上の添加剤を含み得る。添加剤は、当業者に公知の添加剤、例えば、発泡剤、洗剤、金属イオン封鎖剤、ペレット化添加剤、増白剤、ポリマー、界面活性剤、流動剤、安定剤、消泡剤、染料、または他に潤滑剤から選択することができる。
【００４９】
安定剤の例としては、パラヒドロキシ安息香酸のエステル、例えばメチルパラベンおよびプロピルパラベン、アルコール、例えばクロロブタノール、ベンジルアルコールおよびフェニルエチルアルコール、フェノール類、例えばフェノールおよびクレゾール、亜硫酸塩、例えば重亜硫酸ナトリウムおよび亜硫酸ナトリウム、エデト酸塩、例えばエデト酸ナトリウムおよびエデト酸四ナトリウム、ならびに水素化油、ゴマ油、コンドロイチン硫酸ナトリウム、ジブチルヒドロキシトルエン、アジピン酸、アスコルビン酸、ステアリル−Ｌ−アスコルビン酸のエステル、Ｌ−アスコルビン酸ナトリウム、Ｌ−アスパラギン酸、Ｌ−アスパラギン酸ナトリウム、アセチルトリプトファンナトリウム、アセトアニリド、アプロチニンの溶液、アミノエチルスルホン酸、アミノ酢酸、ＤＬ−アラニン、Ｌ−アラニン、塩化ベンザルコニウム、ソルビン酸を挙げることができる。
【００５０】
潤滑剤の例としては、ステアリン酸類、例えばステアリン酸、ステアリン酸カルシウムおよびステアリン酸マグネシウム、ロウ、例えば白ミツロウおよびカルナウバロウ、硫酸塩、例えば硫酸ナトリウム、ケイ酸化合物、例えばケイ酸マグネシウムおよび軽質無水ケイ酸、ラウリル硫酸塩、例えばラウリル硫酸ナトリウム、ココアバター、カルメロースカルシウム、カルメロースナトリウム、カロペプチド、水和二酸化ケイ素、水和非晶質酸化ケイ素、乾燥水酸化アルミニウムゲル、グリセロール、軽質流動パラフィン、水素化油、合成ケイ酸アルミニウム、ゴマ油、小麦デンプン、滑石、マクロゴール、リン酸を挙げることができる。
【００５１】
洗剤の例としては、ポリアクリレート、アクリル酸／マレイン酸コポリマー、モノマーポリカーボネート、例えばクエン酸塩、グルコン酸塩、オキシジコハク酸塩、グリセリル一、二および三コハク酸塩、カルボキシメチルオキシコハク酸塩、カルボキシメチルオキシマロン酸塩、ジピコリン酸塩およびヒドロキシエチルイミノ二酢酸塩を挙げることができる。
【００５２】
特定の実施形態によれば、圧縮固体組成物はまた、少なくとも１つの活性物質、少なくとも１つの充填剤、および任意に少なくとも１つの添加剤を含み得、これらは、発泡剤、洗剤、金属イオン封鎖剤、ペレット化添加剤、増白剤、ポリマー、界面活性剤、流動剤、安定剤、消泡剤、染料または他に潤滑剤から選択され得る。この特定の実施形態によれば、圧縮固体組成物は、錠剤形態であってもよく、家庭用、農業用および産業用の洗浄および／または清浄の分野における用途を有する。家庭での洗浄および／または清浄の例として、特に食器洗浄機内での洗浄などの機械洗浄を挙げることができる。
【００５３】
特定の実施形態によれば、本発明による非経口使用のための圧縮固体組成物は、５％〜１５％、好ましくは５％〜１１％、最も特定的に６％〜８％の摩損度を有する。
【００５４】
特定の実施形態によれば、本発明による非経口使用のための圧縮固体組成物は、５０Ｎ〜９０Ｎ、好ましくは６０Ｎ〜８０Ｎ、最も特定的に７０Ｎ〜７５Ｎの硬度を有する。
【００５５】
特定の実施形態によれば、本発明による非経口使用のための圧縮固体組成物は、３未満、好ましくは２．５未満、最も特定的に２未満のダスト含有量（ダスト領域）を有する。
【００５６】
別の特定の実施形態によれば、本発明による非経口使用のための圧縮固体組成物は、それを湿気から保護し、取扱および／または輸送および／または貯蔵のためのさらなる保護を提供するために、袋に包装されてもよい。有利には、袋は、生分解性および／または水溶性袋である。
【００５７】
別の特定の実施形態によれば、結合剤および／または崩壊剤として発酵糖蜜を含む圧縮固体組成物は、トイレ用の発泡性クリーニングケーク、食器洗浄機錠剤、水泳プール用の次亜塩素酸カルシウム錠剤、または顆粒化肥料の形態である。
【００５８】
多層錠剤、特に多層食器洗浄機錠剤の形態であり得る圧縮固体組成物の例として、以下の表に要約される組成物を挙げる：
【００５９】
【表１】
2021504535.tif 000002
【００６０】
本発明の別の主題は、非経口使用のための圧縮固体組成物の製造のための結合剤および／または崩壊剤としての発酵糖蜜の使用に関する。
【００６１】
発酵糖蜜は、上記で定義した通りである。圧縮固体組成物内の結合剤および／または崩壊剤としての発酵糖蜜の使用は、二重に有利である。第１に、本発明による使用は、これまで唯一、拡散または動物飼料を目的としていた糖蜜を利用する新規な方法を提案することを可能にする。第２に、本発明による使用は、従来使用されている合成結合剤の置換を可能にし、それによって、より環境に優しい圧縮固体組成物を得ることを可能にする。
【００６２】
圧縮固体組成物内で使用される発酵糖蜜の量は、圧縮固体組成物の総重量に対して０．１重量％〜１５重量％、優先的には０．５重量％〜５重量％、さらに優先的には０．５重量％〜１．５重量％であり得る。
【００６３】
圧縮固体組成物は、上で定義された通りであり得、単層または多層錠剤、ケーク、圧縮錠剤、顆粒、ペレットまたは他に薬用キャンディーの形態であり得る。好ましくは、圧縮固体組成物は、単層または多層錠剤の形態である。
【００６４】
本発明の別の主題は、少なくとも発酵糖蜜を結合剤として含む結合および／または崩壊組成物に関する。
【００６５】
本発明による発酵糖蜜はまた、結合特性を有するものを含むすべてのタイプの１つ以上の他の構成成分を含有する結合および／または崩壊組成物内でそのまま使用されてもよく、または、例えば、最終生成物、特に凝集体の機械的強度を増加させることができるもの、またはその取り扱いもしくは貯蔵中に前記凝集体が対象となり得る崩壊の現象を最小限にすることができるものも使用されてもよい。発酵糖蜜は、上記で定義した通りである。
【００６６】
特定の実施形態によれば、本発明による結合組成物はまた、硬化剤、すなわち、結合力をさらに改善することができる硬化剤を含み得る。
【００６７】
特定の実施形態によれば、発酵糖蜜は、特に特定の物理的特性を示すために、それに添加される物質を有してもよい。したがって、糖蜜は、セルロースベースの誘導体、例えばカルボキシメチルセルロース、リグニン、ヘミセルロース、エチルセルロース、メチルセルロース、ヒドロキシプロピルセルロース、ヒドロキシプロピルメチルセルロース、デンプン生産からの誘導体、例えば小麦、トウモロコシ、キャッサバ、タピオカ、ジャガイモ、または米デンプン、デキストリンおよびその他の変性デンプン、デキストラン、糖誘導体、例えばグルコース、フルクトース、ラクトース、スクロース、ソルビトール、グリセロール、ジウタンの天然ゴム、ジェラン、キサンタン、カラギーナンタイプ、ペクチン、アルギン酸塩、キトサン、アラビアゴム、トラガカントゴム、キャロブガム、アカシアゴム、寒天、グアーガム、生産誘導体、例えばビート果肉、チコリ果肉、乾燥または非乾燥リンゴ搾り粕、サトウキビバガス、柑橘類果肉、果汁廃棄物、ガム製造からの廃棄物、デンプン製造からの廃棄物、鉱物誘導体、スメクタイト、ベントナイトおよび他のシリカ由来の粘土、石灰、マグネシウム、および同じ族の他のもの、ならびにまたこれらの化合物のいくつかの混合物を含む群から選択される、それに添加される化合物を有してもよい。
【００６８】
本発明の別の主題は、以下のステップを含む、非経口使用のための圧縮固体組成物を製造するための方法に関する：
１）活性物質、充填剤、および任意に発泡剤、洗剤、金属イオン封鎖剤、ペレット化添加剤、増白剤、ポリマー、界面活性剤、流動剤、安定剤、消泡剤、染料または他に潤滑剤から選択される少なくとも１つの添加剤を提供するステップ、
２）前ステップで提供された化合物に発酵糖蜜を包含させて、混合物を得るステップ、
３）前記圧縮固体組成物を得るために、前記混合物を圧縮するステップ。
【００６９】
したがって、プロセスの第１のステップは、活性物質、充填剤、および任意に発泡剤、洗剤、金属イオン封鎖剤、ペレット化添加剤、増白剤、ポリマー、界面活性剤、流動剤、安定剤、消泡剤、染料または他に潤滑剤から選択される少なくとも１つの添加剤を提供することからなる。活性物質および充填剤は、圧縮固体組成物の所望の用途に応じて、当業者によって選択される。
【００７０】
発酵糖蜜を、次いで、第２のステップに従って、混合物を得るように、プロセスの第１のステップに従って提供される化合物に包含させる。発酵糖蜜は、上記の通りであり、すなわち、特に糖蜜の発酵によって得られる併産物である。本ステップに従って包含される糖蜜の量は、混合物の総重量に対して０．１重量％〜１５重量％、優先的には０．５重量％〜５重量％、さらに優先的には０．５重量％〜１．５重量％であり得る。
【００７１】
包含のステップは、当業者に公知であり、混合物を得ることにつながる技術によって実施され得る。したがって、包含のステップは、例えば、噴霧によって得ることができる。
【００７２】
最後に、本発明による方法の第３のステップは、圧縮するステップからなり、これは、当業者に公知の技術に従って実施することができ、前のステップで調製された混合物の圧縮または凝集をもたらす。したがって、圧縮するステップは、例えば、輪転機上での加圧圧縮によって、ペレット化によって、造粒によって、結節化によって、押出によって、または他に噴霧乾燥によって行うことができる。一例として、加圧圧縮によって圧縮するステップは、回転プレスを介して行うことができる。したがって圧縮するステップは、例えば、単層または多層錠剤、ケーク、圧縮錠剤、顆粒、ペレットまたは他に薬用キャンディーなどのいくつかの形態であり得る圧縮固体組成物を得ることを可能にする。
【００７３】
本発明による方法はまた、包含および／または圧縮のステップの後に乾燥のステップを含み得る。
【００７４】
本発明は、純粋に例示的であり、いかなる方法によっても保護範囲を限定しない以下の実施例を使用してより良く理解される。
【実施例】
【００７５】
以下の実施例では、以下の方法で機械的特性を測定した：
摩損度試験：この試験は、ドラム中で２５回転／分で２分間回転させた後の圧縮固体組成物の質量の損失を測定することからなる。この試験は、ＳＯＴＡＸによって供給されるＦＴ２機械を用いて実施される。摩損度は、以下の式に従って決定される：
Ｆ（％）＝［（ｍ１−ｍ２）／（ｍ１）］×１００
式中、ｍ１は回転前の組成物の質量に相当し、ｍ２は回転後の組成物の質量に相当する。
【００７６】
崩壊：この試験は、液体媒体中の圧縮固体組成物の崩壊時間を測定することからなる。試験は、完全に水没した状態で前後の動きを行う装置によって行われる。この目的のために、圧縮固体組成物をバスケットに入れ、３０℃±１℃に加熱された水で満たされた容器中で、毎分６０回の前後の動きを行う。
【００７７】
最初の前後の動きはＴ０に対応し、バスケット内にもはやいかなる圧縮固体組成物残留物も残っていない場合、Ｔ０から経過した時間は、崩壊時間に相当する。崩壊時間の値は分で示され、５回の測定値の平均に相当する。
【００７８】
硬度：硬度は、Ｓｙｎｅｒｇｉｅ  １００引張試験機（ＭＴＳ）およびＴｅｓｔ  Ｗｏｒｋｓ  ４ソフトウェアを使用して計算され、圧縮固体組成物を破断するために必要な力に対応する。硬度はニュートン（Ｎ）で表され、５回の測定の平均に相当する。
【００７９】
ダスト含有量：測定は、ＤｕｓｔＭｏｎ  Ｌ機械およびＤｕｓｔＭｏｎ  Ｌソフトウェアを使用して、製造業者の推奨に従って実施する。測定は、レーザビームの前を通過するときの、落下したときの圧縮固体組成物の塊のダストの濃度を評価することからなる。数値は、「ダスト領域」に示す。
【００８０】
固形分：カールフィッシャー法。
【００８１】
実施例１：結合剤および／または崩壊剤として発酵糖蜜を含む、非経口使用のための圧縮固体組成物の調製。
この実施例のために、圧縮固体組成物は、第１の層、中間層および第３の層から構成される多層錠剤の形態である。
【００８２】
発酵ビートおよびサトウキビ糖蜜の混合物を使用する。混合物は、約９０％の発酵ビート糖蜜および約１０％の発酵サトウキビ糖蜜を含有する。発酵糖蜜は、６０％の固形分を有する。次いで、これらの発酵糖蜜は、０．２％の量（乾燥／乾燥）でそれに添加されたカルボキシメチルセルロースを有する。
【００８３】
カルボキシメチルセルロースを添加した発酵糖蜜は、錠剤の第１および第３の層を得るために、他の化合物とある量（乾燥／乾燥）で混合される。錠剤の全層の組成を、以下に要約する：
【００８４】
【表２】
2021504535.tif 000003
【００８５】
次いで、回転プレスを用いて各組成物を互いに圧縮し、多層錠剤の形態の圧縮固体組成物を得る。
【００８６】
前記錠剤の機械的特性を、上述のプロトコルに従って測定し、結果を以下の表１に提示する：
【００８７】
【表３】
2021504535.tif 000004
【００８８】
本発明による圧縮固体組成物は、良好な機械的特性を有し、したがって、破損するかまたは大量の微粉を発生せずに容易に取り扱い、輸送することができる。それはまた、１２分未満の崩壊時間（上記のプロトコルに基づく）が一般に所望される、洗浄の分野における用途に適合する崩壊時間を有する。
【００８９】
比較例１：結合剤および／または崩壊剤としてポリエチレングリコール（ＰＥＧ）を含む、非経口使用のための圧縮固体組成物の調製。
得られた特性を比較し、結合剤および／または崩壊剤として発酵糖蜜を含む圧縮固体組成物の利点を実証するために、第２の多層錠剤を調製した。
【００９０】
ポリエチレングリコールは、錠剤の第１および第３の層を得るために、他の化合物とある量（乾燥／乾燥）で混合される。錠剤の全層の組成を、以下に要約する：
【００９１】
【表４】
2021504535.tif 000005
【００９２】
次いで、各組成物を、多層錠剤の形態の圧縮固体組成物を得るように、輪転機を使用して、実施例１と同じプロトコルに従って圧縮する。
【００９３】
前記錠剤の機械的特性を、実施例１と同じプロトコルに従って測定し、結果を以下の表２に提示する：
【００９４】
【表５】
2021504535.tif 000006
【００９５】
したがって、「従来の」ＰＥＧベースの圧縮固体組成物で得られる機械的特性は、結合剤および／または崩壊剤としての発酵糖蜜に基づく本発明による圧縮固体組成物と同等である。
【００９６】
したがって、この比較によって実証されるように、結合剤および／または崩壊剤としての本発明による発酵糖蜜の使用はまた、従来使用されている化学結合剤の良好な代替物であり、一方で、これまでは単に拡散または動物飼料を意図する製品を利用する新規な方法を可能にする。
【００９７】
実施例２：本発明による発酵糖蜜の結合効果の実証。
この実施例の目的は、本発明による発酵糖蜜の良好な結合特性を実証することである。
【００９８】
Ａ−使用した製品：
−  カーボンブラック：ＥＮＳＡＣＯ（登録商標）（Ｉｍｅｒｙｓ）；粒径分布：Ｄｖ１０＝３．１５μｍ；Ｄｖ５０＝１１．８μｍ；Ｄｖ９０＝３３．７μｍ。
−  結合剤溶液１：固形分６０％の発酵サトウキビ糖蜜。
−  結合剤溶液２：９０％発酵ビート糖蜜および１０％発酵サトウキビ糖蜜を含有し、６０％の固形分を有する混合物。
−  結合剤溶液３（対照）：Ｂｒｅｔａｘ  Ｃ（リグノスルホネート、Ｂｕｒｇｏ）。Ｂｒｅｔａｘ  Ｃは、既知の市販の結合剤である。
【００９９】
各結合剤溶液は、カーボンブラック上に噴霧され、その造粒を可能にするように使用される。
【０１００】
Ｂ−乾燥造粒
カーボンブラックは、その内部で撹拌部材が回転するように設定されているパイロット剪断ミキサーの（５ｌ）容器内に配置される。
【０１０１】
各結合剤溶液について、カーボンブラックの造粒を可能にするように、バイ流体（ｂｉ−ｆｌｕｉｄ）ノズルを使用して、カーボンブラックの重量に対して５重量％の量を、容器の内側に噴霧する。
【０１０２】
パイロットミキサーのパラメーターは、以下の通りである：
−  直線速度：１４．１ｍ／ｓ、
−  噴霧速度：５ｇ／ｍｉｎ、
−  パルス圧力：０．１ｂａｒ。
【０１０３】
実施された種々の試験を、以下の表３に要約する：
【０１０４】
【表６】
2021504535.tif 000007
【０１０５】
Ｃ−粒径分析：
各試験について、得られたカーボンブラックの顆粒を、各結合剤溶液の効果を分析するために、レーザー粒径分析によって分析した。
【０１０６】
測定に用いる装置：
−  Ｍａｓｔｅｒｓｉｚｅｒ  ３０００（Ｍａｌｖｅｒｎ）
−  Ａｅｒｏ  Ｓ付属品。
操作パラメーター：
−  乾燥経路、
−  圧力：０．５ｂａｒ、
−  ブランク測定時刻：３０秒、
−  測定時間：６０秒。
【０１０７】
Ｄ−粒径分析の結果：
【表７】
2021504535.tif 000008
【０１０８】
対照結合剤溶液と比較して、結果は、本発明による発酵糖蜜が、ちょうど有効（試験１対試験３）またはさらに有効（試験２対試験３）であるカーボンブラックに対する結合効果を得ることを可能にすることを実証する。
【０１０９】
したがって、この実施例は、本発明による発酵糖蜜の非常に良好な結合特性、および後者が結合剤として圧縮固体組成物において有利に使用され得るという事実を実証する。
【０１１０】
実施例３：本発明による発酵糖蜜の結合および崩壊効果の実証。
発酵糖蜜は、本実施例では、発酵サトウキビ糖蜜の粉末を造粒するために使用される。使用した製品を、以下に要約する：
【０１１１】
Ａ−使用した製品：
−  固形分９７％の発酵サトウキビ糖蜜粉末。
−  発酵糖蜜１：固形分６０％の発酵サトウキビ糖蜜。
−  発酵糖蜜２：発酵ビートおよびサトウキビ糖蜜の混合物。混合物は、約９０％の発酵ビート糖蜜および約１０％の発酵サトウキビ糖蜜を含有する。発酵糖蜜は、６０％の固形分を有する。次いで、この発酵糖蜜は、０．２％の量（乾燥／乾燥）でそれに添加されたカルボキシメチルセルロースを有する。
【０１１２】
発酵糖蜜１および２は、発酵サトウキビ糖蜜粉末上の結合および／または崩壊組成物として使用される。発酵糖蜜は、粉末を造粒し、したがって圧縮固体組成物を得るために使用される。次いで、得られた顆粒を分析した。
【０１１３】
Ｂ−粒径分析：
レーザー粒径測定に使用する装置：上述の通り、Ｍａｓｔｅｒｓｉｚｅｒ  ３０００（Ｍａｌｖｅｒｎ）。
発酵サトウキビ糖蜜粉末を、レーザー粒径分析によって分析したところ、以下の特徴を有する：
−  Ｄｖ１０＝１８．１μｍ、
−  Ｄｖ５０＝７７．５μｍ、
−  Ｄｖ９０＝２３４μｍ、
−  分布幅（距離）＝２．７８８。
【０１１４】
Ｃ−実施した試験
試験１：
この試験のために、造粒は、以下の条件に従って、湿式造粒機（モデルＶＧ−２５、ＧＬＡＴＴ）で実施される：
【０１１５】
【表８】
2021504535.tif 000009
【０１１６】
発酵サトウキビ糖蜜粉末１５０１．４ｇを、造粒機内に入れる。
【０１１７】
次いで、造粒は、粉末の重量に対して１０重量％の糖蜜１の液体溶液で実施される。噴霧した溶液の量は１５０ｇであり、噴霧した糖蜜１／粗発酵サトウキビ糖蜜粉末の液体溶液の含有量は１０％である。
【０１１８】
得られた顆粒の分析：
得られた顆粒を、発酵サトウキビ糖蜜粉末と同じ条件下で分析したところ、以下の特徴を有する：
−  Ｄｖ１０＝６２．４μｍ、
−  Ｄｖ５０＝１６６μｍ、
−  Ｄｖ９０＝６２９μｍ、
−  分布幅（距離）＝３．４４２。
【０１１９】
粉末と比較して、これらの粒径値は、発酵糖蜜が結合効果を有し、顆粒形態の圧縮固体組成物を得ることを可能にすることを示す。
【０１２０】
試験２：
この試験のために、造粒機は試験１のものと同じであり、操作条件は同じであり、例外はミキサー設定であり、それを６００ｒｐｍに設定する。
【０１２１】
１５００ｇの発酵サトウキビ糖蜜粉末を造粒機内に入れ、糖蜜２の液体溶液５％で造粒を行う。噴霧した溶液の量は７５ｇであり、噴霧した溶液／粗サトウキビ糖蜜粉末の含有量は５％である。
【０１２２】
得られた顆粒の分析：
得られた顆粒を、発酵サトウキビ糖蜜粉末と同じ条件下で分析したところ、以下の特徴を有する：
−  Ｄｖ１０＝５５．４μｍ、
−  Ｄｖ５０＝１２７μｍ、
−  Ｄｖ９０＝３０５μｍ、
−  分布幅（距離）＝１．９６５。
【０１２３】
粉末と比較して、これらの粒径値は、発酵糖蜜が結合効果を有し、顆粒形態の圧縮固体組成物を得ることを可能にすることを示す。ここでの分布幅は粉末よりも小さく、顆粒の粒子のより集中した径分布を反映している。
【０１２４】
Ｂ−濡れ性試験
試験１および２で得られた顆粒の濡れ性を、以下のプロトコルに従って発酵サトウキビ糖蜜粉末の濡れ性と比較する：
−  ２０℃の蒸留水１００ｍｌを４００ｍｌのビーカーに入れる。
−  試料１０ｇを取り出し、タイマーの始動と同時に水の表面上に置く。
−  試料が完全に濡れたときにタイマーを停止する。
【０１２５】
結果を以下の表６に提示する：
【０１２６】
【表９】
2021504535.tif 000010
【０１２７】
ここでの継続時間は、種々の試料が空気／水界面を通過することに成功するのに必要な時間を表す。
【０１２８】
結果は、得られた顆粒が湿潤性の有意な減少を有することを示す。本発明による発酵糖蜜は、このパラメーターを改善することを可能にし、それによって良好な結合特性を実証する。
【０１２９】
Ｃ−崩壊試験
発酵糖蜜の崩壊効果を強調するために、先の試験１および２で得られた顆粒について崩壊試験を実施する。試験は、以下のプロトコルに従って実施される：
−  試験する試料１０ｇを採り、１８０〜１２５μｍのふるい分け画分を回収するためにふるい分ける。
−  １８０〜１２５μｍのふるい分けした画分を含むふるいを採り、２ｌのビーカーの上に置く。
−  ２０℃で４００ｍｌの蒸留水を加え、ふるいが表面に浸るようにする。
−  約３００ｒｐｍで撹拌する。
【０１３０】
合わせた混合物の重量の変化は、最初の１ｍｌの蒸留水が添加された直後から経時的にモニターされる。これにより、試料の重量の減少を時間の関数として反映することが可能になる。
【０１３１】
結果を以下の表７に提示する：
【０１３２】
【表１０】
2021504535.tif 000011
【０１３３】
試験開始時の正値は、顆粒による水の吸収を反映する。経時的に、結果は、水の作用下で、本発明による発酵糖蜜から得られた顆粒が完全に崩壊し得、それによって前記発酵糖蜜の崩壊効果を実証し得ることを示す。
【０１３４】
結論として、この実施例は、したがって、本発明による発酵糖蜜の結合および崩壊特性を実証する。実際、その使用は、顆粒形態の圧縮固体組成物を得ることを可能にし、前記顆粒は、水の作用下で引き続いて崩壊することができる。
【国際調査報告】
2021504535.tif 000012
2021504535.tif 000013
2021504535.tif 000014
2021504535.tif 000015
2021504535.tif 000016
2021504535.tif 000017